【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
流体を収容するためのコア領域を画定するコンジットと、
コイルアレイの各コイルが、前記コンジットの周りに巻かれている、前記コイルアレイと、
前記コイルアレイの外側に実装され、前記コイルアレイにわたって移動可能な外部磁石組立体と、
前記コンジットの内側に実装される内部磁石組立体であって、前記外部磁石組立体と位置合わせされ、前記外部磁石組立体に対して移動可能であり、前記外部磁石組立体に磁気的にカップリングもされて、それにより、前記外部磁石組立体及び前記内部磁石組立体が、前記コイルアレイ内の前記コイルに印加される駆動信号に応答して、前記コイルアレイに沿って一緒に移動する、前記内部磁石組立体と
を備える、装置。
【請求項２】
コンジットが、流体不透過性壁を確立するシリンダである、請求項１に記載の装置。
【請求項３】
コンジットの中の流体の流動を遮断及び遮断解除するための内部磁石組立体内の弁機構であって、コイルアレイのコイルに印加される信号によって磁気的に制御される、前記弁機構
をさらに備える、請求項１に記載の装置。
【請求項４】
コンジットの一方の端部を前記コンジットの別の端部に接続する閉ループ流体路を画定する外部流体回路と、
前記コンジットの外側で前記外部流体回路内に設置される電子的に動作する弁機構であって、前記外部流体回路内の流体の流動を遮断及び遮断解除するように動作可能である、前記弁機構と
をさらに備える、請求項１に記載の装置。
【請求項５】
コンジットの中の流体の流動を遮断及び遮断解除するための内部磁石組立体内の弁機構であって、コイルアレイのコイルに印加される信号によって磁気的に制御される、前記弁機構
をさらに備える、請求項４に記載の装置。
【請求項６】
外部磁石組立体が、外部リング磁石アレイを備え、前記外部リング磁石アレイの各リング磁石が、コイルアレイを囲む、請求項１に記載の装置。
【請求項７】
外部リング磁石アレイのリング磁石が、外部リング磁石の第１のサブアレイ及び前記外部リング磁石の第２のサブアレイを形成するようにグループ分けされ、前記外部リング磁石の前記第１のサブアレイ及び前記第２のサブアレイが、コイルアレイのコイルに印加される信号の制御の下、前記コイルアレイに沿って別々に移動可能である、請求項６に記載の装置。
【請求項８】
内部磁石組立体が、外部リング磁石アレイと位置合わせされる内部リング磁石アレイを備える、請求項７に記載の装置。
【請求項９】
内部リング磁石アレイのリング磁石が、内部リング磁石の第１のサブアレイ及び前記内部リング磁石の第２のサブアレイを形成するようにグループ分けされ、前記内部リング磁石の前記第１のサブアレイ及び前記第２のサブアレイが、コイルアレイのコイルに印加される信号の制御の下、コンジット内で別々に移動可能である、請求項８に記載の装置。
【請求項１０】
外部リング磁石の第１のサブアレイ及び内部リング磁石の第１のサブアレイが、磁気的にカップリングされ、一緒に移動し、かつ前記外部リング磁石の第２のサブアレイ及び前記内部リング磁石の第２のサブアレイが、磁気的にカップリングされ、一緒に移動する、請求項９に記載の装置。
【請求項１１】
内部磁石組立体の中の流体の流動を制御するための、並びに互いに対する内部リング磁石の第１のサブアレイ及び第２のサブアレイの動きによって動作する、弁機構
をさらに備える、請求項１０に記載の装置。
【請求項１２】
リング磁石外部アレイ内のリング磁石は、前記リング磁石外部アレイの半径方向外側の場に対して、コイルアレイのコイル内に前記磁石外部アレイによって生み出される磁場を増強させるように、磁場が、選定及び構成されている、請求項６に記載の装置。
【請求項１３】
リング磁石外部アレイ内のリング磁石は、前記リング磁石外部アレイの半径方向外側の場に対して、コイルアレイのコイル内に前記磁石外部アレイによって生み出される磁場を増強させるように、磁場が、選定及び構成され、かつリング磁石内部アレイ内のリング磁石は、前記リング磁石内部アレイの半径方向内側の場に対して、前記コイルアレイの前記コイル内に前記磁石内部アレイによって生み出される磁場を増強させるように、磁場が、選定及び構成されている、請求項８に記載の装置。
【請求項１４】
コンジット内にシャトルをさらに備え、前記シャトルが、内部磁石組立体を備え、前記シャトルが、前記コンジットを遮断して、それにより、流体が、前記シャトルの一方の側から前記シャトルの他方の側へと前記コンジットの中を通ることができないようになる、請求項１に記載の装置。
【請求項１５】
外部磁石組立体にカップリングされ、閉状態で弁機構にバイアシングするためのバイアシング機構
をさらに備える、請求項１１に記載の装置。
【請求項１６】
流体不透過性壁を有するシリンダと、
コイルアレイの各コイルが、前記シリンダの周りに巻かれている、前記コイルアレイと、
外部リング磁石アレイ及び内部リング磁石アレイを含むアクチュエータ組立体であって、前記外部リング磁石アレイの各リング磁石が、前記コイルアレイを囲み、前記内部リング磁石アレイの各リング磁石が、前記シリンダ内に設置され、前記内部リング磁石アレイが、前記外部リング磁石アレイと位置合わせされ、前記外部リング磁石アレイに対して移動可能であり、かつ前記内部リング磁石アレイが、前記外部リング磁石アレイと磁気的にカップリングもされて、それにより、前記外部リング磁石アレイ及び前記内部リング磁石アレイが、前記コイルアレイ内の前記コイルに印加される駆動信号に応答して、前記コイルアレイに沿って一緒に移動する、前記アクチュエータ組立体と
を備える、線形アクチュエータ。
【請求項１７】
コイルアレイの各コイルが、流体を収容するためのコア領域の周りに巻かれている、前記コイルアレイと、
前記コイルアレイの外側に実装され、前記コイルアレイにわたって移動可能な外部磁石組立体と、
前記コイルアレイの前記コイルが周りに巻かれている前記コア領域の内側に実装される内部磁石組立体と
を備える装置であって、
前記外部磁石組立体が、外部リング磁石アレイを含み、前記外部リング磁石アレイの各リング磁石が、前記コイルアレイを囲み、かつ前記外部リング磁石アレイの前記リング磁石が、外部リング磁石の第１のサブアレイ及び前記外部リング磁石の第２のサブアレイを形成するようにグループ分けされ、前記外部リング磁石の前記第１のサブアレイ及び前記第２のサブアレイが、前記コイルアレイの前記コイルに印加される信号の制御の下、前記コイルアレイに沿って別々に移動可能であり；
前記内部磁石組立体が、前記外部磁石組立体と位置合わせされ、前記外部磁石組立体と磁気的にカップリングされ、それにより、前記外部磁石組立体及び前記内部磁石組立体が、前記コイルアレイ内の前記コイルに印加される駆動信号に応答して、前記コイルアレイに沿って一緒に移動する、
前記装置。
【請求項１８】
内部磁石組立体が、外部リング磁石アレイと位置合わせされる内部リング磁石アレイを備える、請求項１７に記載の装置。
【請求項１９】
内部リング磁石アレイのリング磁石が、内部リング磁石の第１のサブアレイ及び前記内部リング磁石の第２のサブアレイを形成するようにグループ分けされ、前記内部リング磁石の前記第１のサブアレイ及び前記第２のサブアレイが、コイルアレイのコイルに印加される信号の制御の下、コア領域内で別々に移動可能である、請求項１８に記載の装置。
【請求項２０】
外部リング磁石の第１のサブアレイ及び内部リング磁石の第１のサブアレイが、磁気的にカップリングされ、一緒に移動し、かつ前記外部リング磁石の第２のサブアレイ及び前記内部リング磁石の第２のサブアレイが、磁気的にカップリングされ、一緒に移動する、請求項１９に記載の装置。
【請求項２１】
内部磁石組立体の中の流体の流動を制御するための、並びに互いに対する内部リング磁石の第１及び第２のサブアレイの動きによって動作する、弁機構をさらに備える、請求項２０に記載の装置。
【請求項２２】
リング磁石外部アレイ内のリング磁石は、前記リング磁石外部アレイの半径方向外側の場に対して、コイルアレイのコイル内に前記磁石外部アレイによって生み出される磁場を増強させるように、磁場が、選定及び構成され、リング磁石内部アレイ内のリング磁石は、前記リング磁石内部アレイの半径方向内側の場に対して、前記コイルアレイの前記コイル内に前記磁石内部アレイによって生み出される磁場を増強させるように、磁場が、選定及び構成されている、請求項１８に記載の装置。